(57)【特許請求の範囲】
【請求項１】
照明器具本体と、
前記照明器具本体に取り付けられる光源と、
前記照明器具本体に保持され、前記光源を覆う第１カバーと、
前記照明器具本体の前記第１カバーの隣り合う位置に固定される第２カバーと、を備え、
前記第１カバーが、前記光源が取り付けられた状態の前記照明器具本体に係合されるようになっており、
前記第２カバーが前記照明器具本体に固定されることで、前記第１カバーの係合状態が維持され、
前記光源を２つ設け、
前記第１カバーを２つ設け、
前記第２カバーを前記第１カバーの間に設けている
照明器具。
【請求項２】
照明器具本体と、
前記照明器具本体に取り付けられる光源と、
前記照明器具本体に保持され、前記光源を覆う第１カバーと、
前記照明器具本体の前記第１カバーの隣り合う位置に固定される第２カバーと、を備え、
前記第１カバーが前記照明器具本体に係合されるようになっており、
前記第２カバーが前記照明器具本体に固定されることで、前記第１カバーの係合状態が維持され、
前記光源を２つ設け、
前記第１カバーを２つ設け、
前記第２カバーを前記第１カバーの間に設け、
前記第１カバーの側面を保持する一対の第１カバー保持部を前記照明器具本体の内側面部に設け、
前記第１カバー保持部は、
２つの前記第１カバーに共用されている
照明器具。
【請求項３】
前記第１カバー保持部は断面視Ｌ字形状に構成されており、
２つの前記光源を結ぶ内部配線は、
前記第１カバー保持部により前記照明器具本体の長手方向に延びるように設けられる
請求項２に記載の照明器具。
【請求項４】
前記第１カバー保持部に係合部を設け、
前記第１カバーの側面に係合受部を設け、
前記第１カバーは、
前記係合部が前記係合受部に係合されることで、前記照明器具本体に保持された状態で移動可能になっている
請求項２又は３に記載の照明器具。
【請求項５】
前記係合部が柱状部品であり、
前記係合受部がＬ字形状の切欠溝である
請求項４に記載の照明器具。
【請求項６】
前記第２カバーが前記照明器具本体に搭載されている設備機器を覆うものであり、
前記光源と前記設備機器を搭載する空間が、前記照明器具本体において直線上に配置されている
請求項１〜５のいずれか一項に記載の照明器具。
【請求項７】
前記第２カバーは、
ネジにより前記照明器具本体に固定される
請求項１〜６のいずれか一項に記載の照明器具。
【発明の詳細な説明】
【技術分野】
【０００１】
本発明は、照明器具本体に固定されるカバーを備えた照明器具に関するものである。
【背景技術】
【０００２】
従来、照明器具本体に固定されるカバーを備えた照明器具が種々提案されている。そのような照明器具の中には、例えば特許文献１に記載されているような方法でカバーを照明器具本体に固定するようにしたものがある。特許文献１には、「安定器、蛍光灯ソケット等を取付けた本体の両側をＬ字形に下向きに折り曲げて水平段部を形成し、該折り曲げ部に先端に下向きの爪を有する押え金具を回動自在に装着し、前記本体の下側を覆うカバーの上面に前記本体が挿入される穴と該穴の周縁に上向きに突出した立上がり部を設け、本体の両側の水平段部にカバーの穴の周縁部を載置し、カバーの立上がり部を本体の水平段部と押え金具の間に挿入してカバーの水平方向の移動を防止した照明器具のカバー取付装置」が開示されている。
【先行技術文献】
【特許文献】
【０００３】
【特許文献１】実開昭５６−１３５６１４号公報
【発明の概要】
【発明が解決しようとする課題】
【０００４】
照明器具の中には、光源の他に、設備機器であるスピーカー及びカメラの少なくともいずれかが搭載されたものがある。そのような照明器具においては、一般的に、光源及び設備機器がカバーによって覆われて保護されている。カバーは、照明器具本体に着脱自在に固定されるものであるが、外部から容易に着脱できない機能及び強度が求められる。そのため、カバーは、工具を用いなければ着脱できない構造を有し、かつ、確実に照明器具本体に固定できる構造でなければならない。
【０００５】
そして、カバーを複数有する照明器具の場合、各々のカバーを、ネジ等を用いた機械的な方法で照明器具本体にそれぞれ固定しなければならない。このような照明器具の光源を交換する場合、各々のカバーを照明器具本体に固定するネジ等が多いほど施工の作業工程が増えることになり、施工に要する時間とコストが多くかかってしまう。特許文献１に記載されているような照明器具のカバー取付装置では、施工の作業工程については特に考慮されておらず、施工の作業工程を削減することはできない。
【０００６】
本発明は、上記のような課題を解決するためになされたもので、施工の作業工程を削減することを可能にした照明器具を提供することを目的とする。
【課題を解決するための手段】
【０００７】
本発明に係る照明器具は、照明器具本体と、前記照明器具本体に取り付けられる光源と、前記照明器具本体に保持され、前記光源を覆う第１カバーと、前記照明器具本体の前記第１カバーの隣り合う位置に固定される第２カバーと、を備え、前記第１カバーが、前記光源が取り付けられた状態の前記照明器具本体に係合されるようになっており、前記第２カバーが前記照明器具本体に固定されることで、前記第１カバーの係合状態が維持され、前記光源を２つ設け、前記第１カバーを２つ設け、前記第２カバーを前記第１カバーの間に設けているものである。
【発明の効果】
【０００８】
本発明に係る照明器具によれば、第２カバーが照明器具本体に固定されることで、第１カバーの係合状態が維持されるので、施工時には第２カバーを機械的に固定するのみで照明器具の外形を形成できることにより、施工の作業工程を削減することができる。
【図面の簡単な説明】
【０００９】
【図１】本発明の実施の形態に係る照明器具の構成の一例を示す斜視図である。
【図２】本発明の実施の形態に係る照明器具を分解した状態の一例を示す分解斜視図である。
【図３】本発明の実施の形態に係る照明器具を構成する照明器具本体とカバーユニットとの固定構造を示す斜視図である。
【図４】図３の一部分を拡大して示す拡大斜視図である。
【図５】本発明の実施の形態に係る照明器具のカバーユニットの組み立てを説明するための説明図である。
【図６】本発明の実施の形態に係る照明器具の設備カバーの組み立てを説明するための説明図である。
【図７】本発明の実施の形態に係る照明器具の断面構成を示す縦断面図である。
【図８】本発明の実施の形態に係る照明器具の断面構成の一部を拡大して示す拡大縦断面図である。
【発明を実施するための形態】
【００１０】
以下、本発明に係る照明器具について、図面を用いて説明する。
なお、以下で説明する内容は本発明の一例であり、本発明に係る照明器具はそのような構成に限定されるものではない。また、細かい構造については、適宜図示を簡略化又は省略している。また、重複又は類似する説明については、適宜簡略化又は省略している。さらに、実施の形態の説明において、「上」、「下」、「左」、「右」、「前」、「後」といった配置や向き等を示す表記は、説明の便宜上、そのように記しているだけであって、装置、器具、部品等の配置や向き等を限定するものではない。
【００１１】
図１は、本発明の実施の形態に係る照明器具（以下、照明器具１００と称する）の構成の一例を示す斜視図である。図２は、照明器具１００を分解した状態の一例を示す分解斜視図である。図３は、照明器具１００を構成する照明器具本体１とカバーユニット２との固定構造を示す斜視図である。図４は、図３の一部分を拡大して示す拡大斜視図である。図１〜図４に基づいて、照明器具１００について説明する。なお、図３及び図４に示す矢印は、カバーユニット２を取り付ける際のカバーユニット２の移動方向を示している。
【００１２】
照明器具１００は、照明空間を照明できる位置に設置され、照明空間を照明するものである。なお、照明空間とは、照明器具１００が設置される下方の空間、たとえば居住空間、倉庫等の空間、ビルや公共施設などの空間、エレベータや廊下等の共有空間、あるいは、電車や船舶などの乗り物内の空間を意味している。
【００１３】
図１及び図２に示すように、照明器具１００は、照明器具本体１と、２つのカバーユニット２と、設備カバー３と、２つの光源ユニット４と、を有している。
【００１４】
照明器具本体１は、照明空間の天井などに取り付けられる長手方向（紙面左右方向）に延びる部材であり、カバーユニット２、設備カバー３及び光源ユニット４等が取り付けられるものである。なお、ここでは、長手方向に延びる部材として照明器具本体１を説明するが、照明器具本体１の形状及び大きさなどを特に限定するものではない。また、照明器具本体１は、金属又は樹脂などを用いて形成することが可能であるが、特に材料を限定するものではない。
【００１５】
カバーユニット２は、照明器具本体１に着脱自在に取り付けられるものであり、照明器具本体１に取り付けられた光源ユニット４の下側を覆うものである。また、カバーユニット２は、光源ユニット４から発せられる光が透過できる部材で構成されている。なお、ここでは、カバーユニット２が設備カバー３を挟んで２つ備えている照明器具１００を例に説明するが、カバーユニット２の個数を特に限定するものではない。
カバーユニット２が、本発明の「第１カバー」に相当する。
【００１６】
設備カバー３は、照明器具本体１に着脱自在に取り付けられるものであり、照明器具本体１に搭載されている設備機器の下側を覆うものである。また、設備カバー３は、搭載されている設備機器に対応した開口等が形成されて構成されている。設備カバー３は、照明器具本体１に取り付けられた２つのカバーユニット２の間に取り付けられている。なお、設備機器としては、たとえばスピーカー、カメラ、無線装置などがある。
設備カバー３が、本発明の「第２カバー」に相当する。
【００１７】
光源ユニット４は、照明器具本体１に取り付けられ、下側がカバーユニット２で覆われている。光源ユニット４は、光源と、光源を点灯する点灯装置と、を有している。光源としては、たとえば蛍光灯又はＬＥＤモジュール等がある。なお、ここでは、光源ユニット４を２つ備えている照明器具１００を例に説明するが、光源ユニット４の個数を特に限定するものではない。
【００１８】
照明器具１００は、図２に示すように、光源と設備機器を搭載する空間とが直線状に配置されている。また、複数の光源を搭載したものにおいては、一つの電源端子台から２つの光源に電源を供給するようになっている。さらに、図２に示すように、設備機器を搭載する空間の両隣に光源が配置された構成となっている。このため、複雑な構造にすることなく照明器具１００を構成することができる。
【００１９】
照明器具１００の構成を図２〜図４を用いて更に詳細に説明する。
照明器具本体１は、光源ユニット取付部１ａと、設備機器取付部１ｂと、カバーユニット保持部１ｃと、を備える。
【００２０】
光源ユニット取付部１ａは、光源ユニット４をたとえば引っ掛けて固定するものであり、光源ユニット４の設置個数に応じた個数が照明器具本体１に設置されている。具体的には、光源ユニット取付部１ａは、光源ユニット４の裏面（上面）側に設けられ、光源ユニット４を裏面側で固定するようになっている。なお、ここでは、照明器具本体１に２つの光源ユニット取付部１ａが設置されている場合を例に示している。
【００２１】
設備機器取付部１ｂは、設備機器を固定するものであり、２つの光源ユニット４、具体的には２つの光源ユニット取付部１ａの間に設置されている。具体的には、設備機器取付部１ｂは、設備機器の裏面（上面）側に設けられ、設備機器を裏面側で固定するようになっている。設備機器取付部１ｂは、設備機器を取り付ける機器取付部１ｂａと、ネジ取付穴１ｂｂと、を有する。なお、ここでは、光源ユニット取付部１ａの間に設備機器取付部１ｂが設置されている場合を例に示しているが、光源ユニット取付部１ａが１つの場合には、設備機器取付部１ｂは、照明器具本体１の長手方向に光源ユニット取付部１ａと隣り合うように設置される。
【００２２】
カバーユニット保持部１ｃは、２つの光源ユニット取付部１ａに対して並行となるように設けられるものである。つまり、カバーユニット保持部１ｃは、照明器具本体１の長手方向と平行となるように照明器具本体１の内側面部に設けられ、２つのカバーユニット２の側面部を一対のカバーユニット保持部１ｃで保持するようになっている。カバーユニット保持部１ｃは、保持部本体１ｃａと、保持部本体１ｃａに設けられるネジ穴１ｃｂと、ネジ穴１ｃｂにねじ込まれる柱状部品であるネジ１ｃｃと、を有する。ネジ１ｃｃは、後述する切欠溝である係合受部２ｂａに挿入される係合部である。また、ここでは、柱状部品がネジである場合を例に示しているが、これに限定するものではなく、ピンなどを柱状部材として用いてもよい。
【００２３】
なお、それぞれのカバーユニット保持部１ｃは、１本の部材で構成してもよく、複数本の部材で構成してもよい。複数本の部材で１つのカバーユニット保持部１ｃを構成する場合、一本の部材で１つのカバーユニット保持部１ｃを構成するのと同様な長さ、形状にすればよい。また、カバーユニット保持部１ｃが、本発明の「第１カバー保持部」に相当する。
【００２４】
保持部本体１ｃａは、照明器具本体１の側面に設けられた状態において、天井に対し鉛直となる面を有している。この面にネジ穴１ｃｂが形成される。ネジ１ｃｃは、照明器具本体１の天井に対し鉛直に形成された面、具体的に保持部本体１ｃａのネジ穴１ｃｂに設けられる。
【００２５】
カバーユニット２は、カバー部２ａと、カバー部２ａに取り付けられる保持部２ｂと、保持部２ｂをカバー部２ａに締結するネジ２ｃと、を有する。
【００２６】
カバー部２ａは、光源ユニット４を下側から覆うものである。カバー部２ａは、光源ユニット４を覆う主カバー２ａａと、主カバー２ａａの両端にそれぞれ取り付けられる端部カバー２ａｂと、を有する。具体的には、主カバー２ａａは、照明器具本体１の長手方向に渡って設けられる光源ユニット４の下側に設けられて光源ユニット４の下部及び側部を覆うものである。端部カバー２ａｂは、照明器具本体１の短手方向の端部を覆うものである。
【００２７】
主カバー２ａａの側面には、ネジ２ｃが挿入されるネジ穴２ａａａが形成されているとともに、ネジ穴２ａａａに挿入されたネジ２ｃのネジ頭を格納するネジ頭格納部２ａａｂが形成されている。
端部カバー２ａｂには、ネジ２ｃが挿入されるネジ穴２ａｂａが形成されているとともに、ネジ穴２ａｂａに挿入されたネジ２ｃのネジ頭を格納するネジ頭格納部２ａｂｂが形成されている。
【００２８】
保持部２ｂは、カバーユニット２の上端部側に設けられ、保持部本体１ｃａの天井に対し鉛直となる面と並行な面の両端側に線状、具体的にはＬ字形状に切り欠かれた切欠溝である係合受部２ｂａを有する。両端側とは、カバーユニット２が組み立てられた状態において端部カバー２ａｂ側を示している。
なお、ここでは、係合受部２ｂａが切欠溝である場合を例に示しているが、これに限定するものではなく、係合受部２ｂａを凸部形状としてもよい。この場合、本体側の係合部は、ネジ１ｃｃに変わり、この凸部が嵌りこむ凹部または切り欠きとなる。また、保持部２ｂは、カバー部２ａとは別体としてカバー部２ａに取り付けるようにしてもよく、カバー部２ａの上端部で構成してもよい。
【００２９】
設備カバー３は、設備機器を下側から覆うものであり、設備カバー部３ａと、設備カバー部３ａの両端側かつ内側に設けられる設備カバー端部３ｂと、設備カバー部３ａを設備機器取付部１ｂに締結するネジ３ｃと、を有する。設備カバー３は、設備カバー部３ａの端部がカバーユニット２の主カバー２ａａの端部（隣り合う側に位置している端部）を覆い、設備カバー端部３ｂがカバーユニット２の主カバー２ａａの端部（あるいは端部カバー２ａｂ）に接することで、カバーユニット２のカバー部２ａが可動するのを抑制する。
【００３０】
つまり、設備カバー３を、カバーユニット２に隣り合った状態で固定することにより、カバーユニット２の移動を規制（ロック）することが可能になる。なお、設備機器が設置されていない照明器具であっても、設備カバー３の代用となるカバーを設置することで、カバーユニット２の移動を規制することができる。つまり、本実施の形態では、設備カバー３にカバーユニット２の移動規制機能を兼用させた場合を例に示しているが、照明器具本体１の一部を覆い、カバーユニット２の移動を規制することができるものであれば、設備カバー３でなくてもよい。
【００３１】
具体的には、設備カバー部３ａは、照明器具本体１の長手方向に渡って設けられる設備機器の下側に設けられて設備機器の下部及び側部を覆うものである。設備カバー端部３ｂは、設備カバー３の両端部を構成するものであり、設備カバー部３ａよりも内側に位置するようになっている。つまり、設備カバー３は、設備カバー部３ａの両端部が照明器具本体１の長手方向に突出するように構成されている。
【００３２】
次に、照明器具１００の組み立て（取り付け）について説明する。
図５は、照明器具１００のカバーユニット２の組み立てを説明するための説明図である。図６は、照明器具１００の設備カバー３の組み立てを説明するための説明図である。図７は、照明器具１００の断面構成を示す縦断面図である。図８は、照明器具１００の断面構成の一部を拡大して示す拡大縦断面図である。
【００３３】
図５に示すように、まず照明器具本体１を天井、壁などの被取付部分に取り付ける。そして、照明器具本体１の内部配線８に光源ユニット４のコネクタを接続し、光源ユニット４を照明器具本体１の光源ユニット取付部１ａに取り付ける。また、照明器具本体１の内部配線８は、カバーユニット保持部１ｃによって保護可能になっている。
【００３４】
次に、カバーユニット２を照明器具本体１に取り付ける。その際、図３及び図４に示すようにカバーユニット保持部１ｃのネジ穴１ｃｂにねじ込まれているネジ１ｃｃに沿ってカバーユニット２に設けられた係合受部２ｂａを差し込み、矢印の方向にカバーユニット２をスライドさせる。つまり、柱状部品であるネジ１ｃｃを切欠溝である係合受部２ｂａの開口部分に挿通し、開口部分から直角に延びる部分に沿ってカバーユニット２を移動させる。こうすることで、カバーユニット２がネジ１ｃｃに移動可能に保持されることになる。
【００３５】
次に、カバーユニット２がネジ１ｃｃに保持された状態で図６に示すように設備カバー３を押し上げ、ネジ３ｃを用いて設備カバー３を照明器具本体１に固定する。こうすることにより、設備カバー３によってカバーユニット２の可動域がふさがり、先の工程で取り付けたカバーユニット２が機械的に固定されたことになる。すなわち、設備カバー３が照明器具本体１に固定されることで、カバーユニット２の係合状態が維持されることになる。
【００３６】
以上のように照明器具１００が組み立てられることになる。図７及び図８に示すようにネジ１ｃｃを保持するカバーユニット保持部１ｃは断面視Ｌ字形状に構成されている。
つまり、カバーユニット保持部１ｃは、天井に対し鉛直に形成された面と、天井面に対し並行若しくは斜めの面と、を有している。そのため、カバーユニット保持部１ｃは、カバーユニット２を保持しつつ、反対側（２つの面に囲まれた部分）で内部配線８を保護している。すなわち、一対のカバーユニット保持部１ｃを２つのカバーユニット２に共用することで、内部配線８を保護しつつ内部配線８を収納する空間を構成することが可能になっている。
【００３７】
内部配線８は、天井に取り付けられる照明器具本体１の天井に対して鉛直に形成された面と照明器具本体１の外壁部との間の空間に照明器具本体１の長手方向に延びるように挿通される。また、内部配線８は、２つ設けられた光源ユニット４を結ぶものである。具体的には、内部配線８は、電源端子台を有する一方の光源側から他方の光源側へ電力を供給するように２つの光源を結ぶようになっている。
【００３８】
以上のように、照明器具１００によれば、照明器具本体１のカバーユニット２の隣り合う位置に固定され、カバーユニット２の移動を規制する設備カバー３を備えたので、施工時には設備カバー３を機械的に固定するのみで照明器具１００の外形を形成することが可能になる。そのため、照明器具１００によれば、施工の作業工程を大幅に削減することができる。
【符号の説明】
【００３９】
１  照明器具本体、１ａ  光源ユニット取付部、１ｂ  設備機器取付部、１ｂａ  機器取付部、１ｂｂ  ネジ取付穴、１ｃ  カバーユニット保持部、１ｃａ  保持部本体、１ｃｂ  ネジ穴、１ｃｃ  ネジ、２  カバーユニット、２ａ  カバー部、２ａａ  主カバー、２ａａａ  ネジ穴、２ａａｂ  ネジ頭格納部、２ａｂ  端部カバー、２ａｂａ  ネジ穴、２ａｂｂ  ネジ頭格納部、２ｂ  保持部、２ｂａ  係合受部、２ｃ  ネジ、３  設備カバー、３ａ  設備カバー部、３ｂ  設備カバー端部、３ｃ  ネジ、４  光源ユニット、８  内部配線、１００  照明器具。
【図１】
0006799937.tif 000002
【図２】
0006799937.tif 000003
【図３】
0006799937.tif 000004
【図４】
0006799937.tif 000005
【図５】
0006799937.tif 000006
【図６】
0006799937.tif 000007
【図７】
0006799937.tif 000008
【図８】
0006799937.tif 000009